(57)【要約】【課題】  外部接続端子等の接続作業を簡易に行うことのできるプラズマディスプレイ装置の提供を課題とする。【解決手段】  本発明においては、上記接続端子部３０の下方に、回転可能に支持された上記鏡４４を載置した上記ミラーユニット４０を配置することによって、上記鏡４４で下方に対面した上記接続端子部３０の様子を確認することが可能となる。  そして、上記鏡４４の角度調整によって観察対象の様子を所望の方向に反射することができるので、プラズマディスプレイ装置１０を移動させずに、その前面や上方からの上記接続端子部３０の確認が可能となる。従って、上記接続端子部３０への外部周辺機器等の接続作業を簡易に行うことが可能となる。【選択図】  図５
2006071896.tif 000002
【特許請求の範囲】
【請求項１】
プラズマディスプレイパネルを前面に配置した表示部と、上記表示部を収容して覆い前面中央部にプラズマディスプレイモジュールに対応した開口部を有して背面側に開口する概略枠状のフロントキャビネットと、同フロントキャビネットの背面側開口を閉塞するリアキャビネットとを有した筐体と、上記筐体の底面部から下方に略垂直に延びた二本のスタンドと、上記スタンド間の上記筐体背面には複数の接続用端子が下方に対面して配置されるプラズマディスプレイ装置において、
上記筐体の下方側の部位であって、フロントキャビネットにおける内側の下方部位にて底壁から上方に立設されて前後方向に延びる略平行な二枚のリブを有し、同リブには前後方向に配向した略直線状のスリットを形成し、上記フロントキャビネットにおける背面側端部から前方側に向けて上記ミラーユニットと干渉しないように下方に開口する下面側開口を有しているとともに、上記リブは同下面側開口の形成位置まで延設されており、かつ、上記リアキャビネットには当該リブに挟まれる略矩形上の領域に対応した後面側開口を上記接続用端子の下方に形成した収容部と、
薄箱状に形成され断面を概略上記後面側開口を通過可能に形成されるとともに、
上記リブに両側面を挟まれた状態で同リブに形成された上記スリットを貫通する、前方寄りの部位に形成された係合突起を有し、
上記収容部に対して背面方向に上記スリットの中を移動して背面側端に至った時点で当該係合突起を回転支軸として同収容部の開口縁部の両端より回転し、上記下面側開口を介して下方へ突出するようにして下方に吊り下げ支持される第一のフレームと、
上記第一のフレームにおける枠内にて凹凸係合機構で支持され、上記吊り下げ支持される回転方向と同じ方向に回転可能に支持されるとともに、上面に上記鏡を載置可能な略矩形状の凹部と、上記凹部内の四辺からそれぞれ上記矩形内に向けて上記凹部に載置された鏡の上側に突出する爪を有して上記鏡を固定し回転可能に支持する第二のフレームとからなり、
上記収容部に収容された状態で上記下面側開口に対面する部位を下方に向けて肉厚に形成されており、収容時に上記フロントキャビネットの下面を略面一にする上記収容部に収容されるミラーユニットとを具備することを特徴とするプラズマディスプレイ装置。
【請求項２】
薄箱状の筐体を立てた状態で左右の二脚にて床面から支持されるとともに、同筺体の背面には複数の接続用端子が下方に対面して配置されるプラズマディスプレイ装置において、
上記筐体の下方側の部位であって上記接続用端子の下方に形成された背面側に開口する収容部と、
鏡を回転可能に支持するとともに、上記収容部に対して収容可能であり、当該収容部から背面方向にスライドして引き出されたときに、同収容部の開口縁部の両端より回転して下方に向けて吊り下げ支持可能なミラーユニットとを具備することを特徴とするプラズマディスプレイ装置。
【請求項３】
上記ミラーユニットは、薄箱状に形成されるとともに上記収容部に対してスライド可能であって上記吊り下げ支持可能に係合する第一のフレームと、この第一のフレームにおける枠内にて上記吊り下げ支持される回転方向と同じ回転方向に回転可能に支持されるとともに上記鏡を支持する第二のフレームとを有することを特徴とする請求項２に記載のプラズマディスプレイ装置。
【請求項４】
上記筺体は、前面中央部にプラズマディスプレイモジュールに対応した開口部を有して背面側に開口する概略枠状のフロントキャビネットと、同フロントキャビネットの背面側開口を閉塞するリアキャビネットとを有し、
上記収容部は、上記フロントキャビネットにおける内側における下方部位にて底壁から上方に立設されて前後方向に延びる略平行な二枚のリブを有し、同リブには前後方向に配向した略直線状のスリットを形成され、かつ、上記リアキャビネットには当該リブに挟まれる略矩形上の領域に対応した後面側開口を形成して構成され、
上記ミラーユニットは、断面を概略上記後面側開口を通過可能に形成されるとともに、上記リブに両側面を挟まれた状態で同リブに形成された上記スリットを貫通する係合突起を有しており、同スリット内で上記係合突起が移動可能な範囲で前方から背面方向にスライド可能となっていることを特徴とする請求項２または請求項３に記載のプラズマディスプレイ装置。
【請求項５】
上記収容部は、上記フロントキャビネットにおける背面側端部から前方側に向けて上記ミラーユニットと干渉しないように下方に開口する下面側開口を有しているとともに、上記リブは同下面側開口の形成位置まで延設されており、
上記ミラーユニットは、上記係合突起が前方よりの部位に形成され、上記スリットの中を移動して背面側端に至った時点で当該係合突起を回転支軸として上記下面側開口を介して下方へ突出するようにして下方に吊り下げ支持されることを特徴とする請求項４に記載のプラズマディスプレイ装置。
【請求項６】
上記ミラーユニットは、上記収容部に収容された状態で上記下面側開口に対面する部位を下方に向けて肉厚に形成されており、収容時に上記フロントキャビネットの下面を略面一にすることを特徴とする請求項５に記載のプラズマディスプレイ装置。
【請求項７】
上記係合突起は、上記貫通穴を貫通した部位から背面側へ向けて湾曲する抜け止め片を有することを特徴とする請求項４から請求項６のいずれかに記載のプラズマディスプレイ装置。
【請求項８】
上記ミラーユニットは、樹脂で形成されているとともに可撓性を有する薄片部を介して回転動作可能であり、当該回転動作によって上記吊り下げ支持されることを特徴とする請求項２から請求項７のいずれかに記載のプラズマディスプレイ装置。
【請求項９】
上記ミラーユニットは、上記薄片部より前方側の前方部位にて上記収容部に対してスライド可能かつ吊り下げ可能に支持され、同薄片部より後方側の後方部位にて上記鏡を支持することを特徴とする請求項８に記載のプラズマディスプレイ装置。
【発明の詳細な説明】
【技術分野】
【０００１】
本発明は、プラズマディスプレイ装置に関し、特に、所定の外部接続用端子を備えるプラズマディスプレイ装置に関する。
【背景技術】
【０００２】
従来、背面部に接続端子を備える電子機器、特にテレビジョン装置やディスプレイ装置において外部周辺機器との接続に関する技術として、特開２００２−２４４５７０号公報では、壁面近傍に設置されるディスプレイ装置で、壁面と離れる方向に可動な回動機構を備えて、背面に設けられた接続端子部の目視確認と接続作業を容易とする技術の開示がある。また、特開２００３−０７７６０６号公報では、電子機器の接続端子部が、自在に回転させることのできる回転ユニットに設ける技術の開示がある。
【特許文献１】特開２００２−２４４５７０号公報
【特許文献２】特開２００３−０７７６０６号公報
【発明の開示】
【発明が解決しようとする課題】
【０００３】
大型で薄型のディスプレイであれば、従来、これらの接続部分は背面に突出しないようにディスプレイの背面に下方に向けて配置されていることが多い。このため、上記外部周辺機器との接続の際には、背面の狭いスペースでの手探りによる位置確認や本体の移動が必要になり大変手間のかかる作業となる。
上述した従来の回動機構を備えた技術では、壁掛けタイプのディスプレイ装置には適当であるが大型でスタンドを支脚としたディスプレイ装置等においては適用できない。また、接続端子を回転ユニットに設けた技術では、大型化するディスプレイの一部を使用することはスペースの無駄となる。このように、従来の技術であっても背面で接続端子を下向きに配置した構造に対しての接続作業が困難であるという課題がある。
【０００４】
本発明は、上記課題にかんがみてなされたもので、外部周辺機器等の接続作業を簡易に行うことが可能なプラズマディスプレイ装置の提供を目的とする。
【課題を解決するための手段】
【０００５】
上記目的を達成するため、請求項２にかかる発明では、薄箱状の筐体を立てた状態で左右の二脚にて床面から支持されるとともに、同筺体の背面には複数の接続用端子が下方に対面して配置されるプラズマディスプレイ装置において、
上記筐体の下方側の部位であって上記接続用端子の下方に形成された背面側に開口する収容部と、
鏡を回転可能に支持するとともに、上記収容部に対して収容可能であり、当該収容部から背面方向にスライドして引き出されたときに、同収容部の開口縁部の両端より回転して下方に向けて吊り下げ支持可能なミラーユニットとを具備する構成としてある。
【０００６】
上記のように構成した請求項２にかかる発明においては、上記収容部に収容されている上記ミラーユニットを背面方向にスライドして引き出し上記筐体の下方に吊り下げる。
すなわち、筐体の周囲に空間のあるプラズマディスプレイ装置において、上述のように上記ミラーユニットを筐体の下方に吊り下げると、上記ミラーユニットは上記プラズマディスプレイ装置の前側方向から観察することができる。そして、上記鏡は上記ミラーユニットにおいて回転可能に支持されているので、上記プラズマディスプレイ装置の前側方向から上記鏡の角度を調整することで所望の方向の状態を反射して映し出す。
ここでは、上記筐体の背面側に下方に対面して配置された接続用端子を上記鏡の角度を調整することにより上述したように前側方向より上記接続用端子を観察できる。
【０００７】
請求項３にかかる発明は、請求項２に記載の上記ミラーユニットは、薄箱状に形成されるとともに上記収容部に対してスライド可能であって上記吊り下げ支持可能に係合する第一のフレームと、この第一のフレームにおける枠内にて上記吊り下げ支持される回転方向と同じ回転方向に回転可能に支持されるとともに上記鏡を支持する第二のフレームとを有する構成としてある。
【０００８】
上記のように構成した請求項３にかかる発明においては、上記収納部に収容できる薄箱状の上記ミラーユニットは上記第一フレームと第二フレームからなる。
上記第一フレームは、上述のように上記収容部内からスライドしたその端部で上記収容部に吊り下げ可能である。このとき、上記第二フレームは上記第一フレームの枠内に支持されているため、第一フレームと同様に吊り下げられることになる。
ここで、上記第二フレームが上記第一フレーム内で回転可能に支持されるための機構が必要となる。例えば、上記第一フレームと上記第二フレームを凹凸係合機構で支持すれば、上記第二フレームは上記凹凸機構で支持されて上記第一フレームの枠内で回転可能となる。このとき、上記凹凸係合機構を上記プラズマディスプレイ装置の左右方向に対して平行に配置することにより、上記ミラーユニットが上記筐体の下方に吊り下げられた際に、上記第二フレームは上下方向、すなわち、上記第一フレームの回転方向と同じ回転方向に回転する。上記第二フレームには鏡が載置されており、上記プラズマディスプレイ装置の前側方向から観察した場合に、上記鏡の角度を調整することで背面部分の様子を反射させて観察できることとなる。
【０００９】
また、請求項４にかかる発明は、請求項２または請求項３のいずれかに記載の上記筺体は、前面中央部にプラズマディスプレイモジュールに対応した開口部を有して背面側に開口する概略枠状のフロントキャビネットと、同フロントキャビネットの背面側開口を閉塞するリアキャビネットとを有し、
上記収容部は、上記フロントキャビネットにおける内側における下方部位にて底壁から上方に立設されて前後方向に延びる略平行な二枚のリブを有し、同リブには前後方向に配向した略直線状のスリットを形成され、かつ、上記リアキャビネットには当該リブに挟まれる略矩形上の領域に対応した後面側開口を形成して構成され、
上記ミラーユニットは、断面を概略上記後面側開口を通過可能に形成されるとともに、上記リブに両側面を挟まれた状態で同リブに形成された上記スリットを貫通する係合突起を有しており、同スリット内で上記係合突起が移動可能な範囲で前方から背面方向にスライド可能となっている構成としてある。
【００１０】
上記のように構成した請求項４にかかる発明においては、上記収容部は、上記フロントキャビネット内側底面上に備えられた上記リブと、同フロントキャビネットの底面と前側壁面で囲われて上記リアキャビネット側に開口し、薄箱状の上記ミラーユニットを収容している。上記ミラーユニットは上記係合突起を上記スリットに係合して上記背面側方向へスライドし、上記収容部から上記後面側開口を通過可能である。
このように、上記収容部は上記筐体の底面部を利用しており、上記ミラーユニットは上記収容部の底面、すなわち筐体の底面で当接し支持されている。また、薄箱状の上記ミラーユニットの幅方向の移動を制限するように上方にリブを立設して上記収容部を構成する。
ここで、上記収容部は上記フロントキャビネットの下方部位に形成されていればよく、上記筐体の底面に上記背面側と上方が開口した略箱形状に下方に向かって凹部を設け、上記収容部の底面と幅方向の制限としてもよい。また、上記収容部の上面は、上記プラズマディスプレイ装置の制御基板等を収容する鉄板のシャシ等を利用すればよい。
【００１１】
また、上記ミラーユニットが上記収容部からの引き出し方向にスライドし、上記フロントキャビネットの底面端部を通過した際、上記ミラーユニットの底面を支持するものがなくなる。従って、上記ミラーユニットの引き出し方向側は下方に落ちようとするが、その底面で上記フロントキャビネットの端部と当接して背面側下方に傾斜することになる。
そこで、請求項５にかかる発明は、請求項４に記載の上記収容部は、上記フロントキャビネットにおける背面側端部から前方側に向けて上記ミラーユニットと干渉しないように下方に開口する下面側開口を有しているとともに、上記リブは同下面側開口の形成位置まで延設されており、
上記ミラーユニットは、上記係合突起が前方よりの部位に形成され、上記スリットの中を移動して背面側端に至った時点で当該係合突起を回転支軸として上記下面側開口を介して下方へ突出するようにして下方に吊り下げ支持される構成としてある。
【００１２】
上記のように構成した請求項５にかかる発明においては、上記ミラーユニットが上記収容部からスライドして上記背面側に引き出される。このとき、上記リブは上記下面側開口の形成位置まで延設されているため、上記ミラーユニットに形成された係合突起は上記スリットの中を上記下面側開口の側まで移動可能となる。すると、上記係合突起が上記下面側開口上へ移動した際には、上記ミラーユニットの底面側はフロントキャビネットの底面による支持をなくして下方に落ちる。しかし、上記ミラーユニットは上記係合突起を上記スリットに支持して下方に吊り下がる。
すなわち、上記フロントフロントキャビネットの当該端部に上記下面側開口部分を備えることによって上記ミラーユニットの厚みと上記下面側開口部分が係合して、上記係合突起が上記スリットに支持された状態で上記筐体下方に垂直に吊り下がることになる。
【００１３】
また、上記ミラーユニットは上記収容部から背面側に引き出した端部で、上記筐体の下方に吊り下がればよいので、上記フロントキャビネットの端部からさらに背面側方向に突出するようにリブを延設し、上記筐体の端部よりも背面側に上記スリットを延ばしてもよい。
すると、上記ミラーユニットは延設されたリブの位置まで引き出された際に、上記フロントキャビネットの端部を通過して底面の支持がないところに位置する。そして、上記係合突起を上記スリットで支持して上記筐体の下方に吊り下がる。
【００１４】
上記下面側開口を設けることで、上記フロントキャビネットの下面に段差が生じることになる。そこで、請求項６にかかる発明は、請求項５に記載の上記ミラーユニットは、上記収容部に収容された状態で上記下面側開口に対面する部位を下方に向けて肉厚に形成されており、収容時に上記フロントキャビネットの下面を略面一にする構成としてある。
【００１５】
上記のように構成した請求項６にかかる発明においては、上記ミラーユニットを上記収容部に収容した際も、上記フロントキャビネット下面が面一になる。
このような肉厚部分は、上記ミラーユニットにおける回転するフレームを支持する枠側のフレームの端部に設ける。
ここで、上記ミラーユニットの肉厚部分は上記フロントキャビネットの外観を損ねない作用の他に、上記ミラーユニットを背面側へ引き出す際に手を添えるための誘導部分としての作用もある。上記フロントキャビネット下面と面一となっている上記肉厚部分に、横方向のスリットや、上記フロントキャビネットの端部と上記肉厚部分の間に所定の隙間を設けることで各凹みを利用して手が掛け易く、上記ミラーユニットの背面側への押し出しを容易にする。
また、上記背面への押し出しを容易にする一例として、上記肉厚部分を上記フロントキャビネットの下面よりも突出した形状にする。これにより、上記下面から手を沿わせて上記突出した部分に手を引っかけることによってミラーユニットが押し出し易くなる。
【００１６】
また、請求項７にかかる発明は、請求項４から請求項６のいずれかに記載の上記係合突起は、上記貫通穴を貫通した部位から背面側へ向けて湾曲する抜け止め片を有する構成としてある。
【００１７】
上記のように構成した請求項７にかかる発明においては、上記ミラーユニットが背面側へスライドしてその端部で上記係合突起部分に力が加えられても、上記湾曲部分で上記スリット端部に引っかかり、上記スリットから上記係合突起が抜けることはない。また同様に、上記ミラーユニットが下方へ吊り下がった場合には、上記抜け止め片が下方に向くため下方への抜けもない。
このように、上記抜け止め片は上記スリットから抜け落ちず上記スリットに引っかかる形状であればよいので、上記スリットから貫通した部位から球状となっていたり、断面Ｔ字形状で上記係合突起を軸として円盤状の抜け止め片を備えていてもよい。
【００１８】
また、請求項８にかかる発明は、請求項２から請求項７に記載の上記ミラーユニットは、樹脂で形成されているとともに可撓性を有する薄片部を介して回転動作可能であり、当該回転動作によって上記吊り下げ支持される構成としてある。
上記のように構成した請求項８にかかる発明においては、上記ミラーユニットを引き出すと、下方に回転して上記薄片部で支持されつつ同薄片部が撓んで下方に吊り下がる。
【００１９】
また、請求項９にかかる発明は、請求項８に記載の上記ミラーユニットは、上記薄片部より前方側の前方部位にて上記収容部に対してスライド可能かつ吊り下げ可能に支持され、同薄片部より後方側の後方部位にて上記鏡を支持する構成としてある。
【００２０】
上記のように構成した請求項９にかかる発明においては、上記ミラーユニットを引き出すと、鏡を支持した上記後方部位が下方に回転して上記薄片部で支持されつつ下方に吊り下がる。上記ミラーユニットは上記フロントキャビネットの下面に上記下面側開口がない場合、上記後方部位が上記前方部位が上記下面端まで移動することによって、同下面端を通過して下方に吊り下がる。一方、上記下面側開口がある場合は、上述のように薄片部で支持され上記後方部位のみが下方に吊り下がることもできる。さらに、上記前方部位が上記下面側開口部分まで移動して、上記前方部位によって上記ミラーユニットが支持されて下方に吊り下がることもできる。
【００２１】
ここで、請求項１は、プラズマディスプレイパネルを前面に配置した表示部と、上記表示部を収容して覆い前面中央部にプラズマディスプレイモジュールに対応した開口部を有して背面側に開口する概略枠状のフロントキャビネットと、同フロントキャビネットの背面側開口を閉塞するリアキャビネットとを有した筐体と、上記筐体の底面部から下方に略垂直に延びた二本のスタンドと、上記スタンド間の上記筐体背面には複数の接続用端子が下方に対面して配置されるプラズマディスプレイ装置において、
上記筐体の下方側の部位であって、フロントキャビネットにおける内側の下方部位にて底壁から上方に立設されて前後方向に延びる略平行な二枚のリブを有し、同リブには前後方向に配向した略直線状のスリットを形成し、上記フロントキャビネットにおける背面側端部から前方側に向けて上記ミラーユニットと干渉しないように下方に開口する下面側開口を有しているとともに、上記リブは同下面側開口の形成位置まで延設されており、かつ、上記リアキャビネットには当該リブに挟まれる略矩形上の領域に対応した後面側開口を上記接続用端子の下方に形成した収容部と、
薄箱状に形成され断面を概略上記後面側開口を通過可能に形成されるとともに、
上記リブに両側面を挟まれた状態で同リブに形成された上記スリットを貫通する、前方よりの部位に形成された係合突起を有し、
上記収容部に対して背面方向に上記スリットの中を移動して背面側端に至った時点で当該係合突起を回転支軸として同収容部の開口縁部の両端より回転し、上記下面側開口を介して下方へ突出するようにして下方に吊り下げ支持される第一のフレームと、
上記第一のフレームにおける枠内にて凹凸係合機構で支持され、上記吊り下げ支持される回転方向と同じ方向に回転可能に支持されるとともに、上面に上記鏡を載置可能な略矩形状の凹部と、上記凹部内の四辺からそれぞれ上記矩形内に向けて上記凹部に載置された鏡の上側に突出する爪を有して上記鏡を固定し回転可能に支持する第二のフレームとからなり、
上記収容部に収容された状態で上記下面側開口に対面する部位を下方に向けて肉厚に形成されており、収容時に上記フロントキャビネットの下面を略面一にする上記収容部に収容されるミラーユニットとを具備する構成としており、請求項１は上記請求項２から請求項７までの手段と作用を総合したものと言える。
【発明の効果】
【００２２】
以上説明したように請求項１、請求項２にかかる発明によれば、プラズマディスプレイ装置を動かすことなく、前側から背面の様子を観察することが可能となる。
請求項３にかかる発明によれば、ミラーユニットに載置された鏡によって背面の様子を観察することができる。
請求項４にかかる発明によれば、ミラーユニットは接続用端子の下方で引き出し可能となる。
請求項５にかかる発明によれば、フロントキャビネットの前後方向の厚み内でミラーユニットを下方に吊り下げることが可能となる。
請求項６にかかる発明によれば、フロントユニット底面の外観を損ねることなくミラーユニットを設けることができる。また、ミラーユニットを収容部から引き出しやすくする効果もある。
請求項７にかかる発明によれば、スリット端部でのミラーユニットの抜け落ち防止となる。
請求項８にかかる発明によれば、ミラーユニットが薄片部を介して前方部位と後方部位を一筐体で完成する。
請求項９にかかる発明によれば、フロントキャビネットに下面側開口を設けなくてもミラーユニットは筐体の下方に略垂直に吊り下がることができる。
【発明を実施するための最良の形態】
【００２３】
以下、下記の順序に従って本発明の実施形態を説明する。
（１）プラズマディスプレイ装置の構成と実施例：
（２）変形例：
（３）まとめ：
【００２４】
（１）プラズマディスプレイ装置の構成と実施例：
図１は本発明にかかるプラズマディスプレイ装置１０の横方向からの概略断面図である。
同図においてプラズマディスプレイ装置１０は、フロントキャビネット２０ａとリアキャビネット２０ｂからなる水平方向が長手方向となる略長方形で薄型の筐体２０を備えている。そして、プラズマディスプレイ装置１０は、上記筐体２０の底面部から下方に略垂直に延びた二本のスタンドと上記スタンド端部を床面と面で当接させたスタンドベースで床面上に支持されている。
上記筐体２０の前面側は、フロントキャビネット２０ａがプラズマディスプレイモジュールに対応した開口部を有して、上記プラズマディスプレイモジュールの前面にて映像を表示する。
上記フロントキャビネット２０ａの背面側を閉塞する上記リアキャビネット２０ｂは、後方に所定の奥行きを持つ形状となっている。この奥行きによって内部に収容空間を形成しており、上記プラズマディスプレイ装置１０の制御を行う制御部が同装置内部の制御基板上に配置されて収容されている。
【００２５】
上記スタンド間に位置する上記リアキャビネット２０ｂの中央部やや下方寄りの部分には、所定幅と奥行で下方と後方に開口した接続端子部３０が備えられており、電源や外部とのビデオ信号の入出力、スレーブ等との接続を行う端子３１が集合している。
これらの端子３１は下方に対面して配置されており、ケーブル等は下方から上方の端子に向けて押し入れて接続するようになっている。
【００２６】
図２にプラズマディスプレイ装置１０の背面から観察した、収容部５０の概略斜視図を示す。
上記フロントキャビネット２０ａ背面側は端子カバー３２の下方に、鏡４４を載置したミラーユニット４０を収容する収容部５０の後面側開口Ａを備える。上記後面側開口Ａは、上記端子接続部３０の幅方向の大きさと略一致し、当該収容部５０に収容される上記ミラーユニット４０は、断面を概略上記後面側開口Ａを通過可能に形成されている。従って、当該収容部５０に収容される同幅の上記鏡４４はその鏡面に、上記接続端子部３０において横方向に並んだ上記端子３１の全体像を写すことが可能であり、一目で上記接続端子部３０全体を確認することができる。
【００２７】
上記収容部５０は上記フロントキャビネット２０ａ内側の下方部位に形成され、上記フロントキャビネット２０ａの底面から上方に立設されて、上記筐体２０の前後方向に延びる略平行な二枚のリブ５１を有する。上記リブ５１には前後方向に配向した略直線状のスリット５１ａを形成している。そして、上記収容部５０の背面側には上記リブ５１間の幅と同幅で当該リブ５１に挟まれる後面側開口Ａを備え、上記底面には同様に下面側開口Ｂを有している。また、上記収容部５０の上面はプラズマディスプレイ装置１０の上記制御部等を覆い収容する鉄板のシャシとなっている。このように、上記収容部５０は概略箱状となり、後述する薄箱状のミラーユニット４０をその内部に収容する。
【００２８】
上記収容部５０に収容されるミラーユニット４０は樹脂製の薄箱状で、図３に示すように、枠体部分を有する第一フレーム４１と、上記第一フレーム４１における枠内に回転可能に支持される第二フレーム４２とからなる。
上記第一フレーム４１は略矩形状の枠体で、上記枠体の上記筐体２０における前後方向に延びて向かい合う二辺から前方側へ延設された端部４１ｃにおいて、その前方よりの部位にそれぞれ外側へ向けて係合突起４３が設けられる。また、上記係合突起４３の形状は上記スリット５１ａを貫通した部位から背面側へ向けて湾曲する抜け止め片４３ａとなっている。そのため、上記係合突起４３だけで上記第一フレーム４１を支持した場合でも、抜け止め片４３ａが上記スリット５１ａに引っかかるので抜け落ちがなくなる。
【００２９】
また、上記枠体部分は枠内の前後方向に延びて向かい合う二辺のそれぞれの中央に枠の外側方向に向けた浅丸穴形状の凹部４１ａを有しており、後述する、第二フレーム４２の短円柱状の凸部４２ａと係合する凹凸係合機構となっている。
また、上記ミラーユニット４０は上記収容部５０へ収容した状態で、上記下面側開口Ｂに対面する部位を下方に向けて肉厚に形成されている。ここでは、上記ミラーユニット４０における上記第一フレーム４１の引き出し方向側が上記下面側開口Ｂと対応し、その端部で下方に向けて肉厚に形成される。従って、上述した肉厚部分は上記ミラーユニット４０の収容時に上記下面側開口Ｂと対応し、上記フロントキャビネット２０ａの下面を略面一にする。
上記ミラーユニット４０の引き出し時は、上記肉厚部分を手で押して背面側に移動させればよい。
このとき、上記肉厚部分と上記フロントキャビネット２０ａの下面との間に隙間を設けたり、上記肉厚部分の下面にスリット等を施したりすることで、引き出し時の手の探りしろとなったり、滑り止めとすることができる。
【００３０】
上記第二フレーム４２は、その上面に略矩形状の鏡４４を載置して上記第一フレーム４１と凹凸係合機構で支持されている。上記凹凸係合機構により、上記凸部４２ａ，凹部４１ａを軸として上記第一フレーム４１の回転方向と同方向に上記第二フレーム４２が回転可能となる。
また、上記第二フレーム４２は上面に上記鏡４４を載置可能な略矩形状の凹部と、上記凹部内の四辺からそれぞれ上記矩形内に向けて上記凹部に載置された鏡４４の上側に突出する爪４２ｂを有する。上記爪４２ｂは、上記ミラーユニット４０と同じく樹脂で形成されて可撓性を持つ。そこで、上記鏡４４の鏡面を上にして上記第二フレーム４２の上面方向から上記凹部に載置し、上記鏡４４を押して上記爪４２ｂを撓ませてその下側に移動させる。上記鏡４４は下側から力が加えられなければ爪４２ｂの上側に移動することはなく、上記爪４２ｂにより上記鏡４４の各辺を固定することができる。従って、上記爪４２ｂで鏡４４を固定しているので、上記第二フレーム４２が回転したときでも上記鏡４４は落下しない。
【００３１】
以上説明した上記第一フレーム４１に上記第二フレーム４２を上記凹凸係合機構で装着し、ミラーユニット４０とする。上記ミラーユニット４０は上記係合突起４３が、上記収容部５０のリブ５１に形成された上記スリット５１ａを貫通し、同リブ５１に両側面を挟まれた状態で上記収容部５０に収容されている。また、上記ミラーユニット４０は底面を上記収容部５０の底面を兼ねた上記フロントキャビネット２０ａの底面で支持されている。
上記第一フレーム４１に形成された肉厚部分を手で背面側に押すことによって、上記ミラーユニット４０は上記係合突起４３が上記スリット５１ａに誘導されて図４における破線で示すように背面側に突出する。そして、上記フロントキャビネット２０ａの底面による支持がなくなる上記下面側開口Ｂで、上記ミラーユニット４０の自重により上記筐体２０の下方へ移動する。このとき、上記ミラーユニット４０は図４に示すように、上記ミラーユニット４０に備えられた係合突起４３が上記スリット５１ａに掛かる状態で支持されて上記下面側開口Ｂを介して吊り下がる。
【００３２】
ここで、上述のように筐体２０の下方に吊り下がった上記ミラーユニット４０を上記収容部５０に収容する場合。まず、第二フレーム４２が回転していた場合は第一フレーム４１の枠内に戻す。そして、下方に吊り下がったミラーユニット４０を係合突起４３を支軸として背面側に持ち上げ、上記筐体２０の底面と平行に支持した状態で前側方向に移動させる。
すると、上記係合突起４３が上記スリット５１ａに誘導されて前側スリット端まで移動し、また、上記ミラーユニット４０の上記肉厚部分が上記収容部５０の下面側開口Ｂに整合して上記ミラーユニット４０が収容部５０に収納される。
【００３３】
上記ミラーユニット４０は上記接続端子部３０と同幅で下方に位置しており、上述のように上記ミラーユニット４０が下方に吊り下がった状態で、第二フレーム４２を回転させる。ここで、上記第二フレーム４２は凹凸係合機構により第一フレーム４１に対して上下方向に３６０度自在に回転する。よって、上記第二フレーム４２に載置された鏡４４は、その周囲を鏡面に写しながら回転することになる。
ここで、上記ミラーユニット４０は、上記収容部５０から引き出した際に上記筐体２０の下方の空間に吊り下がる。このとき、観察者は当該プラズマディスプレイ装置の前側から上記ミラーユニット４０を観察することができる。従って、上記ミラーユニット４０に備えられている鏡４４も、載置している当該第二フレーム４２が回転することで前側から観察できることになる。
【００３４】
そこで、図５に示すように、プラズマディスプレイ装置１０の前側から上記ミラーユニット４０を観察する。そして、上記ミラーユニット４０における上記第二フレーム４２を回転させて上記鏡４４の鏡面を上方に向ける。そして、上記鏡４４の上方に位置する上記接続端子部３０の様子を写し出すように上記鏡４４の角度を調整しつつ前側に鏡面を向けることで、前側から上記接続端子部３０を観察することが可能となる。
また、接続端子部３０には下方に対面した端子３１部分と、同端子３１周辺に当該端子名を記した部分とがある。上記鏡４４をそれぞれの位置に微調整して観察することも可能であるので、何の端子であるかを確認することも簡易にできる。
【００３５】
また、図５に示すように上述のような前側からの観察に対して、上記ミラーユニット４０を上記収容部５０から引き出した状態でプラズマディスプレイ装置１０の上方からのぞき込み観察することもできる。このような場合であっても、上記上記第二フレーム４２を回転させ、上記ミラーユニット４０の上方に位置する上記接続端子部３０を観察できるように調整することは可能である。
【００３６】
ここで、上記フロントキャビネット２０ａの奥行きがリアキャビネット２０ｂの奥行きより大きければ、上記リアキャビネット２０ｂの奥行きよりも長い長さのミラーユニット４０を形成することができる。よって、上記ミラーユニット４０を収容部５０から引き出した状態で上方から観察すると、上記リアキャビネット２０ｂよりも背面に突出する。このように突出する量が大きければ、上方からは大きくのぞき込む必要はなくなる。そして、上記ミラーユニット４０に載置された鏡４４には上方に位置する上記接続端子部３０を反射して、上記プラズマディスプレイ装置１０の上方からより簡易に上記接続端子部３０の様子を観察することができる。
【００３７】
以上のように、上記接続端子部３０の下方に、回転可能に支持された上記鏡４４を載置した上記ミラーユニット４０を配置することによって、上記鏡４４で下方に対面した上記接続端子部３０の様子を確認することが可能となる。
そして、上記鏡４４の角度調整によって観察対象の様子を所望の方向に反射することができるので、プラズマディスプレイ装置１０を移動させずに、その前面や上方からの上記接続端子部３０の確認が可能となる。
【００３８】
（２）変形例：
図６は変形例にかかるミラーユニット１４０の概略形状を示す断面図である。
同図において、ミラーユニット１４０は樹脂で形成されており、上述の実施例と同様に第一フレーム１４１と上記第一フレーム１４１に凹凸係合機構で装着された第二フレーム１４２から構成される。
ここでは、上記第一フレーム１４１は、収容部１５０のリブ１５１に形成されたスリット１５１ａと係合する係合突起１４３を有した前方部位と、上記第二フレーム１４２を支持する枠体部分の後方部位とが、可撓性を有する薄片部１４１ｃを介して一体となっている例を説明する。また、上記第二フレーム１４２と収容部１５０は上述の実施例と同様の構成とするので説明を省略する。
【００３９】
ここで、図７は変形例にかかる収容部１５０の概略断面図を示す断面図である。
上記収容部１５０に収容されていた当該ミラーユニット１４０は、上記係合突起１４３が、上記収容部１５０のリブ１５１に形成された上記スリット１５１ａを貫通し、同リブ１５１に両側面を挟まれた状態で上記収容部１５０に収容されている。また、上記ミラーユニット１４０は底面を上記収容部１５０の底面を兼ねた上記フロントキャビネット１２０ａの底面で支持されている。
上記ミラーユニット１４０は、上記第一フレーム１４１に形成された肉厚部分を手で背面側に押すことによって、上記係合突起１４３が上記スリット１５１ａに誘導されて背面側に突出する。
このように、上記ミラーユニット１４０が上記収容部１５０から背面側に引き出され、上記後方部位が上記収容部５０の下面側開口Ｂに位置する。すると、上記フロントキャビネット１２０ａの底面による支持がなくなり、上記ミラーユニット１４０の自重により上記後方部位が下方へ落ちる。このとき、上記後方部位は薄片部１４１ｃを介して回転動作して、上記下面側開口Ｂを介して上記筐体１２０の下方へ吊り下げられる。このように、上記後方部位は上記薄片部１４１ｃで回転可能であり、上記薄片部１４１ｃを介して上記前方部位で支持されて上記下面側開口Ｂを介して吊り下がる。
【００４０】
次に、上記ミラーユニット１４０がさらに背面側に引き出され、上記前方部位が上記下面側開口Ｂの上方に位置した際、上記前方部位に備えられた上記係合突起１４３によって支持されて吊り下げられることも可能である。上記係合突起１４３は、上記スリットを貫通した部位から外側へ向けて球状となった抜け止め片となっている。そのため、上記係合突起１４３だけで上記ミラーユニット１４０を支持した場合でも、球状部分が上記スリット１５１ａに引っかかるので抜け落ちしない。
このように、収容部１５０から引き出された上記ミラーユニット１４０は、上述の実施例と同様に第二フレームを調整して上記接続端子部３０を観察することが可能となる。
また、本変形例では、上記収容部１５０の下面側開口Ｂがない場合でも上記後面側開口Ａにおける上記収容部１５０の底面端で上記薄片部１４１ｃによって鏡１４４が載置されている後方部位を吊り下げることが可能である。
【００４１】
（３）まとめ：
以上説明したように、上記接続端子部３０の下方に、回転可能に支持された上記鏡４４を載置した上記ミラーユニット４０を配置することによって、上記鏡４４で下方に対面した上記接続端子部３０の様子を確認することが可能となる。
そして、上記鏡４４の角度調整によって観察対象の様子を所望の方向に反射することができるので、プラズマディスプレイ装置１０を移動させずに、その前面や上方からの上記接続端子部３０の確認が可能となる。従って、上記接続端子部３０への外部周辺機器等の接続作業を簡易に行うことが可能となる。
【図面の簡単な説明】
【００４２】
【図１】プラズマディスプレイ装置の横方向からの概略断面図である。
【図２】収容部の概略斜視図である。
【図３】ミラーユニットの概略斜視図である。
【図４】収容部の概略断面図である。
【図５】ミラーユニットの使用例を示したプラズマディスプレイ装置の概略断面図である。
【図６】変形例にかかるミラーユニットの概略形状を示す断面図である。
【図７】変形例にかかる収容部の概略断面図である。
【符号の説明】
【００４３】
１０…プラズマディスプレイ装置
２０…筐体
２０ａ…フロントキャビネット
２０ｂ…リアキャビネット
３０…接続端子部
３１…端子
４０…ミラーユニット
４１…第一フレーム
４１ａ…凹部
４２…第二フレーム
４２ａ…凸部
４２ｂ…爪
４３…係合突起
４３ａ…抜け止め片
４４…鏡
５０…収容部
５１…リブ
５１ａ…スリット
【図１】
2006071896.tif 000003
【図２】
2006071896.tif 000004
【図３】
2006071896.tif 000005
【図４】
2006071896.tif 000006
【図５】
2006071896.tif 000007
【図６】
2006071896.tif 000008
【図７】
2006071896.tif 000009